(57)【要約】      （修正有）【課題】ティッシュケースをケースごと収納し、かつ、ティッシュが取り出しやすく、ティッシュ以外のものも装備できる利便性の高い多機能バッグを提供する。【解決手段】多機能バッグ１０は、バッグ本体１２の正面１８側に、ティッシュケースをケースごと収納するティッシュケース収納部５０を備えており、該ティッシュケース収納部５０の側面５６、５８から上面５４にかけて設けられたジッパー６０により開閉可能となっている。ティッシュケース収納部５０の正面５２には開口部６２が設けられ、該開口部６２を覆うように、前記ティッシュケース収納部５０の正面５２にカバー６４が設けられ、該カバー６４と前記ティッシュケース収納部５０の正面５２に、開閉用のマグネットが設けられる。バッグ本体１２には、このほか、ポケット２７、収納部８０、筒状ポケット９０、９４が設けられている。【選択図】図１
0003228388.tif 000002
【実用新案登録請求の範囲】
【請求項１】
略直方体状のバッグ本体の正面側に設けられており、ティッシュケースをケースごと収納する略直方体状のティッシュケース収納部と、
該ティッシュケース収納部の側面から上面にかけて設けられた開閉用のジッパーと、
前記ティッシュケース収納部の正面に設けられた開口部と、
該開口部を覆うように、前記ティッシュケースの正面に設けられたカバーと、
該カバーと前記ティッシュケース収納部の正面に、前記カバーの開閉用にそれぞれ設けられたマグネットと、
前記バッグ本体の一対の側面の上部に着脱可能に設けられたショルダーベルトと、
を備えることを特徴とする多機能バッグ。
【請求項２】
前記ティッシュケース収納部は、前記バッグ本体の角部と前記ティッシュケース収納部の角部が一致し、かつ、前記ティッシュケース収納部の開口部が、前記バッグ本体の底面と略平行になるように配置されていることを特徴とする請求項１記載の多機能バッグ。
【請求項３】
前記バッグ本体の正面上部から上面にかけて、開閉用のジッパーが設けられていることを特徴とする請求項１又は２記載の多機能バッグ。
【請求項４】
前記バッグ本体の側面部に略筒状の収納部を設けたことを特徴とする請求項３記載の多機能バッグ。
【請求項５】
前記ティッシュケース収納部は、収納するテッシュケースの厚さや大きさに対応して保持するための保持手段、を内側に有することを特徴とする請求項１〜４のいずれか一項に記載の多機能バッグ。
【請求項６】
前記バッグ本体の正面に形成されたマスク用のポケット、前記ティッシュケース収納部の側面に設けられた薬用ポケット、前記バッグ本体の正面に形成された他のポケットの少なくとも１つを有することを特徴とする請求項１〜５のいずれか一項に記載の多機能バッグ。
【請求項７】
前記バッグ本体の背面に設けられた一対のヒップバック用ベルトと、
前記バッグ本体の背面に設けられており、前記一対のヒップバック用ベルトをそれぞれ収納する一対の収納部と、
を備えることを特徴とする請求項１〜６のいずれか一項に記載の多機能バッグ。
【考案の詳細な説明】
【技術分野】
【０００１】
本考案は、ティッシュをケースごと収納するための多機能バッグに関し、更に具体的には、ティッシュの取り出しやすさの改善と、装備の改善に関するものである。
【背景技術】
【０００２】
従来、ティッシュケースを、ケースごと携帯するための技術として、例えば、下記特許文献１に記載のティッシュボックス携帯用鞄がある。当該文献には、鞄本体の内部に、ティッシュボックスをその上部の取り出し口を横に向けた状態で本体の内側面部に接するように収納するボックス収納部と、取り出し口が接する鞄本体の側面部に設けられたティッシュ取り出し用の取り出し孔部と、取り出し孔部及びそこから出ているティッシュの一部を覆って上方から被さるように鞄本体に設けられたフラップ部とを備えることが開示されている。
【０００３】
また、特許文献２に記載の携行鞄には、前面部と、該前面部の後方に設けられた後面部と、からなる携行鞄において、該前面部には開口部を設け、該開口部に弾力性と非透水性を有するシート部材を開閉自在に取付け、該前面部の背面には、内部に水分を含侵した複数枚の繊維シートを包被すると共に内部の該繊維シートを取出し可能とする取出口を有する非透水性素材からなる袋体を該背面部に弾性的に押し付ける取付手段を設け、該取付手段は、該袋体の該取出口を該前面部の該開口部に対面させて取付けるようにされ、該前面部の該開口部から該シート部材を通して該袋体の該取出口から該新規シートを取出し可能であり、前記前面部に開閉自在に覆い被さるフラップの内面であって、該フラップと閉じたときに前記前面部に設けられた前記開口部を覆う位置に非透水性のシート片を取付けてなることを特徴とすることが開示されている。
【先行技術文献】
【特許文献】
【０００４】
【特許文献１】特開２００４−６５３６８号公報
【特許文献２】特許第４５９４４３１号公報
【考案の概要】
【考案が解決しようとする課題】
【０００５】
しかしながら、上述した従来技術では、ティッシュケースをバッグや鞄本体内に収納するため、その分、バッグ本体内に収納できる荷物の容量が減ってしまうという不都合がある。特に特許文献１では、バッグ本体にティッシュケースを収納すると、他のものを収納できる部分が大幅になくなってしまい、ティッシュケースは持ち歩けても、他の荷物は別のバッグに収納する必要があるなど、利便性の点で課題がある。
【０００６】
ティッシュケースを箱ごと持ち歩きたい場合は様々な場面が想定されうるが、例えば、花粉症の場合などは、ティッシュケースを持ち歩くだけでなく、薬や、薬を飲むための水、使用済みのティッシュを捨てるごみ入れ、マスクなどを一つのバッグで全て装備できることが望ましい。これ以外にも、状況に応じて、アルコールスプレーなども併せて一つのバッグで持ち歩くことができれば更に利便性が高い。
【０００７】
本考案は、以上のような点に着目したもので、ティッシュケースをケースごと収納し、かつ、ティッシュが取り出しやすく、衛生的で、最低限の見栄えを確保し、ティッシュ以外にも、薬、水、マスク、アルコールスプレー、ゴミ入れなどを装備した利便性の高い多機能バッグを提供することを、その目的とする。
【課題を解決するための手段】
【０００８】
本考案の多機能バッグは、略直方体状のバッグ本体の正面側に設けられており、ティッシュケースをケースごと収納する略直方体状のティッシュケース収納部と、該ティッシュケース収納部の側面から上面にかけて設けられた開閉用のジッパーと、前記ティッシュケース収納部の正面に設けられた開口部と、該開口部を覆うように、前記ティッシュケース収納部の正面に設けられたカバーと、該カバーと前記ティッシュケース収納部の正面に、前記カバーの開閉用にそれぞれ設けられたマグネットと、前記バッグ本体の一対の側面の上部に着脱可能に設けられたショルダーベルトと、を備えることを特徴とする。
【０００９】
主要な形態の一つは、前記ティッシュケース収納部は、前記バッグ本体の角部と前記ティッシュケース収納部の角部が一致し、かつ、前記ティッシュケース収納部の開口部が、前記バッグ本体の底面と略平行になるように配置されていることを特徴とする。
【００１０】
他の形態の一つは、前記バッグ本体の正面上部から上面にかけて、開閉用のジッパーが設けられていることを特徴とする。更に他の形態の一つは、前記バッグ本体の側面部に略筒状の収納部を設けたことを特徴とする。
【００１１】
更に他の形態の一つは、前記ティッシュケース収納部は、収納するテッシュケースの厚さや大きさに対応して保持するための保持手段、を内側に有することを特徴とする。更に他の形態の一つは、前記バッグ本体の正面に形成されたマスク用のポケット、前記ティッシュケース収納部の側面に設けられた薬用ポケット、前記バッグ本体の正面に形成された他のポケットの少なくとも１つを有することを特徴とする。
【００１２】
更に他の形態の一つは、前記バッグ本体の背面に設けられた一対のヒップバック用ベルトと、前記バッグ本体の背面に設けられており、前記一対のヒップバック用ベルトをそれぞれ収納する一対の収納部と、を備えることを特徴とする。本発明の前記及び他の目的、特徴、利点は、以下の詳細な説明及び添付図面から明瞭になろう。
【考案の効果】
【００１３】
本考案の多機能バッグは、略直方体状のバッグ本体の正面側に設けられており、ティッシュケースをケースごと収納する略直方体状のティッシュケース収納部と、該ティッシュケース収納部の側面から上面にかけて設けられた開閉用のジッパーと、前記ティッシュケース収納部の正面に設けられた開口部と、該開口部を覆うように、前記ティッシュケース収納部の正面に設けられたカバーと、該カバーと前記ティッシュケース収納部の正面に、前記カバーの開閉用にそれぞれ設けられたマグネットと、前記バッグ本体の一対の側面の上部に着脱可能に設けられたショルダーベルトと、を備えることとした。このため、ティッシュケースをケースごと収納し、かつ、ティッシュが取り出しやい。また、ティッシュケース収納部のティッシュの出し入れ口（開口部）をカバーで覆うため、衛生的であり、最低限の見栄えの良さも確保することができる
【００１４】
また、前記バッグ本体の側面部に略筒状の収納部を設けたり、前記バッグ本体の正面に形成されたマスク用のポケット、前記ティッシュケース収納部の側面に設けられた薬用ポケット、前記バッグ本体の正面に形成された他のポケットの少なくとも１つを有することとしたので、ティッシュ以外にも、薬、水、マスク、アルコールスプレー、ゴミ入れなどを装備した利便性の高い多機能バッグが提供できる。
【図面の簡単な説明】
【００１５】
【図１】本考案の実施例１の多機能バッグを正面側から見た外観斜視図である。
【図２】前記実施例の多機能バッグのティッシュケース収納部を示す図であり、(A)はカバーを閉じた状態、(B)はカバーを開けた状態を示す図である。
【図３】前記実施例の多機能バッグを背面側から見た外観斜視図である。
【図４】前記実施例の多機能バッグの背面図である。
【図５】前記実施例の多機能バッグのティッシュケース収納部の内部を背面側から見た斜視図である。
【図６】前記実施例の多機能バッグのティッシュケース収納部を図５の矢印Ｆ５方向から見た断面図である。
【図７】本考案の実施例２の多機能バッグを正面側から見た外観斜視図である。
【考案を実施するための形態】
【００１６】
以下、本考案を実施するための最良の形態を、実施例に基づいて詳細に説明する。
【実施例１】
【００１７】
最初に、図１〜図４を参照しなががら、本考案の実施例１の多機能バッグの基本的な構造を説明する。図１は、本実施例の多機能バッグを正面側から見た外観斜視図である。図２は、本実施例の多機能バッグのティッシュケース収納部を示す図であり、(A)はカバーを閉じた状態、(B)はカバーを開けた状態を示す図である。図３は、本実施例の多機能バッグを背面側から見た外見斜視図である。図４は、本実施例の多機能バッグの背面図である。
【００１８】
これらの図に示すように、本実施例の多機能バッグ１０は、上面１４，底面１６，正面１８，背面２０，一対の側面２２，２４を有する略直方体状のバッグ本体１２の正面１８側に、ティッシュケース（ここでは「ティッシュ」には、通常のティッシュ、ウェットティッシュ、消毒用ティッシュなども含む。以下同じ。）をケースごと収納するティッシュケース収納部５０と、マスク（図示せず）を収納するためのポケット２７と、他の収納部８０が設けられている。また、バッグ本体１２の両側面２２，２４には、略筒状のポケット９０，９４が設けられている。
【００１９】
前記バッグ本体１２は、例えば、横方向の長さが３２０ｍｍであり、縦方向の長さが２３０ｍｍであり、厚みは、４５ｍｍに設定されている。また、ティッシュケース収納部５０の横方向の長さは、例えば、２３０ｍｍに設定され、縦方向の長さは、例えば、１１０ｍｍに設定され、厚みは、４５ｍｍに設定されている。
【００２０】
図示のように、本実施例の多機能バッグ１０では、ティッシュケース収納部５０の角部が、バッグ本体１２の底面１６側の角部と一致し、かつ、ティッシュケース７０の開口部７２（ティッシュケース収納部５０の正面側の開口部６２）が、前記バッグ本体１２の底面１６と略平行になるように配置されている。このように、バッグ本体１２の角部とティッシュケース収納部５０の角部を一致させた配置とすることにより、見栄えがよく、バッグ本体１２の正面１８側に、他のポケットや収納部を設けるための場所を確保することができる。
【００２１】
前記バッグ本体１２は、図１に示すように、正面１８の一端側の上部から、上面１４、正面１８の他端側の上部にかけて、開閉用のジッパー２６が設けられている。このようなジッパー２６の配置により、バッグ本体１２の両側面２２，２４に略筒状の収納部９０，９４を設けたり、ショルダーベルト３２を着脱するためのアタッチメント２８，３０を設けても、バッグ本体１２の上部を大きく開けることができるため、荷物の出し入れに支障が生じることがない。
【００２２】
前記ショルダーベルト３２は、バッグ本体１２の一対の側面２２，２４の上部に、アタッチメント２８，３０によって着脱可能に設けられている。また、ショルダーベルト３２は、アジャスター３４によって、長さ調整が可能となっている。前記ショルダーベルト３２は、後述するヒップバックベルト３６Ａ，３６Ｂを使用するときには、必ずしも使用する必要はないし、ヒップバックベルト３６Ａ，３６Ｂと併用するようにしてもよい。
【００２３】
次に、前記ティッシュケース収納部５０は、略直方体状に形成されており、一方の側面５６の上方、上面５４、他方の側面５８の上方にかけて設けられたジッパー６０によって、開閉可能となっている。このように、側面上方から上面にかけてジッパー６０を設けることにより、ティッシュケース７０の収納や取出しがしやすい。
【００２４】
また、前記ティッシュケース収納部５０は、図２(B)に示すように、正面５２の略中央部に、収納したティッシュケース７０からティッシュ７４を取り出すための略長方形の開口部６２が設けられている。該開口部６２は、ティッシュケース収納部５０内にティッシュケース７０を収納したときに、その開口部７２と位置が一致するように設けられている。
【００２５】
次に、前記ティッシュケース収納部５０は、前記開口部６２を覆うように、正面５２にカバー６４が設けられている。該カバー６４は、上縁が、図示しない縫製等によって、前記正面５２に取り付けられている。前記カバー６４は、正面５２よりは小さく、前記開口部６２よりは大きく設定されている。
【００２６】
また、前記カバー６４の下方の両端には、それぞれマグネット６６、６８が裏面に設けられている。また、ティッシュケース収納部５０の正面５２にも、前記マグネット６６，６８と位置が合うように、マグネット７６，７８が設けられている。これらマグネットによるカバー６４の開閉により、カバー６４を開くのがスムースであり、また、閉じるときも、ティッシュ７４を取り出したら手を放すだけで、自然にカバー６４が下がり、マグネットにより閉じるため、カバー６４を閉じるのも容易である。また、ティッシュを出し入れする部分がカバー６４で覆われているため、衛生的であり、かつ最低限の見栄えを確保することもできる。
【００２７】
以上のようなティッシュケース収納部５０とは別に、前記バッグ本体１２の正面１８側には、図１に示すように、前記ティッシュケース収納部５０の上方に、マスクを収納するポケット２７が設けられており、前記ティッシュケース収納部５０の側方には、略直方体状の他の収納部８０が設けられている。該収納部８０は、縦長の略直方体状であって、一方の側面の上方から、上面、他方の側面の上方にかけて開閉用のジッパー８２が設けられている。該収納部８０の底面は、バッグ本体１２の底面１６と位置が合うように配置されている。該収納部８０の用途は自由であるが、ジッパー８２を閉めれば中が見えないため、使用済みのティッシュを入れておくために使用してもよい。
【００２８】
前記バッグ本体１２の一方の側面２２には、略筒状のポケット９４が設けられている。該ポケット９４の底面は、バッグ本体１２の底面１６と位置が合うように配置されている。前記ポケット９４の上縁には、紐９６が通してあり、当該紐９６設けられたアジャスター９８によって、紐９６を閉めた状態や緩めた状態で固定することができる。例えば、飲料水のペットボトルを収納したときに、紐９６を閉めて固定することで、ペットボトルが脱落することがない。
【００２９】
同様に、前記バッグ本体１２の他方の側面２４には、略筒状のポケット９０が設けられている。該ポケット９０の底面は、バッグ本体１２の底面１６と位置が合うように配置されている。前記ポケット９０の上縁には、紐９２が通してあり、当該紐９２に設けられたアジャスター９３によって、紐９２を閉めた状態や緩めた状態で固定することができる。本ポケット９０の使用方法については、前記ポケット９４と同様である。
【００３０】
次に、図３及び図４に示すように、前記バッグ本体１２の背面２０側には、収納可能な一対のヒップバック用ベルト３６Ａ，３６Ｂと、これらヒップバック用ベルト３６Ａ，３６Ｂを収納するための一対の収納部４２，４４が設けられている。前記ヒップバック用ベルト３６Ａ，３６Ｂは、略三角形状であって、バッグ本体１２の背面２０に接合している側の幅が最も広く、先端に向かうにつれて幅が狭くなる。
【００３１】
そして、前記ヒップバック用ベルト３６Ａ，３６Ｂの先端には、更にベルト３８Ａ，３８Ｂが設けられており、これらベルト３８Ａ，３８Ｂの先端に設けられたアタッチメント４０によって、使用者のウエスト（ないしヒップ）周りに、バッグ本体１２を固定することができる。前記アタッチメント４０は、図４に示すように、雌型４０Ａと雄型４０Ｂから構成されるものであるが、このようなアタッチメント４０は公知のため詳細な説明は省略する。なお、前記アタッチメント４０は、着脱のみではなく、ベルト３８Ａ，３８Ｂの長さ調節も可能となっている。
【００３２】
次に、図５及び図６も参照して、前記ティッシュケース収納部５０内におけるティッシュケースの固定について説明する。図５は、前記ティッシュケース収納部５０の内部を背面側から見た斜視図である。図６は、前記ティッシュケース収納部５０を、図５の矢印Ｆ５方向から見た断面図である。
【００３３】
ティッシュケース収納部５０に収納するティッシュケースが、前記ティッシュケース収納部５０に収納したときに丁度収まる大きさの場合には、ティッシュケース７０を固定するための手段は不要であるが、例えば、本実施例の図５及び図６に示すように、一対の保持ベルトを設けることにより、厚さがティッシュケース収納部５０よりも薄いティッシュケースや、サイズが小さく厚さも薄いウェットティッシュや消毒用ティッシュなども保持することができる。
【００３４】
図５に示すように、ティッシュケース収納部５０の内側には、開口部６２よりも内側であって、当該開口部６２の両端付近に、一対の保持ベルトが設けられている。一方の保持ベルトは、開口部６２の一方の端部付近であって、上面５４側に一端が固定されたベルト８０Ａと、底面側に一端が固定されたベルト８０Ｂを含み、これらベルト８０Ａ，８０Ｂに設けた面テープなどの着脱手段によって、長さ調節可能に着脱可能となっている。
【００３５】
他方の保持ベルトは、開口部６２の他方の端部付近であって、上面５４側に一端が固定されたベルト８２Ａと、底面側に一端が固定されたベルト８２Ｂを含み、これらベルト８２Ａ，８２Ｂに設けた面テープなどの着脱手段によって、長さ調節可能に着脱可能となっている。
【００３６】
図６(A)に示すように、ティッシュケース７０の厚さがティッシュケース収納部５０の厚さとほぼ同じ場合には、保持ベルトを使用せずに収納するだけでよく、ベルト８０Ａ，８０Ｂと、ベルト８２Ａ，８２Ｂは締結しなくてよい。
【００３７】
一方、図６(B)に示すティッシュケース７０Ａのように、厚さがティッシュケース収納部５０のほぼ半分程度の薄型のケースの場合には、ティッシュケース７０Ａをティッシュケース収納部５０に収納した後、開口部７２Ａの位置が、ティッシュケース収納部５０の開口部６２の位置に合うようにして、ベルト８０Ａ，８０Ｂと、ベルト８２Ａ，８２Ｂを締結する。これにより、ティッシュケース７０Ａを開口部６２側にフィットさせ、ティッシュ７４Ａを確実に取り出すことができる。
【００３８】
同様に、図６(C)に示すティッシュケース７０Ｂのように、厚さがティッシュケース収納部５０よりかなり薄く、大きさもティッシュケース収納部５０よりも小さい場合にも、ティッシュケース７０Ｂをティッシュケース収納部５０に収納した後、開口部７２Ｂの位置が、ティッシュケース収納部５０の開口部６２の位置に合うようにして、ベルト８０Ａ，８０Ｂと、ベルト８２Ａ，８２Ｂを締結する。これにより、ティッシュケース７０Ｂを開口部６２側にフィットさせ、ティッシュ７４Ｂを確実に取り出すことができる。
【００３９】
このように、本実施例によれば、次のような効果がある。
(1)多機能バッグ１０が、略直方体状のバッグ本体１２の正面１８側に設けられており、ティッシュケース７０をケースごと収納する略直方体状のティッシュケース収納部５０と、該ティッシュケース収納部５０の側面５６，５８から上面５４にかけて設けられた開閉用のジッパー６０と、前記ティッシュケース収納部５０の正面５２に設けられた開口部６２と、該開口部６２を覆うように、前記ティッシュケース収納部５０の正面５２に設けられたカバー６４と、該カバー６４と前記ティッシュケース収納部５０の正面５２に、前記カバー６４の開閉用にそれぞれ設けられたマグネット６６，６８，７６，７８と、前記バッグ本体１２の一対の側面２２，２４の上部に着脱可能に設けられたショルダーベルト３２と、を備えることとした。
【００４０】
このため、ティッシュケース７０をケースごと収納し、かつ、ティッシュ７４が取り出しやすく、ティッシュ７４を取り出したあとにはカバー６４が自然に閉じるために使いやすい。また、カバー６４でティッシュ取り出し部を覆うため、衛生的であり、最低限の見栄えを確保することができる。また、ジッパー６０による開閉のための、ティッシュケース７０の出し入れがしやすい。更に、ティッシュケース収納部５０が、バッグ本体１２の外側に設けられているため、バッグ本体１２内へ収納できる荷物の量が変わることがない。
【００４１】
(2)また、本実施例によれば、前記ティッシュケース収納部５０は、前記バッグ本体１２の角部と前記ティッシュケース収納部５０の角部が一致し、かつ、前記ティッシュケース収納部５０の開口部６２が、前記バッグ本体１２の底面１６と略平行になるように配置されているため、見た目がよく使い勝手がよい。また、他の収納部８０や、側面の筒状ポケット９０，９４も、これらの底面が、バッグ本体１２の底面１６と同じ位置になるように配置されているため、見た目のバランスがよい。
【００４２】
(3)また、本実施例では、前記バッグ本体１２の正面１８の一端側の上部から、上面１４、正面１８の他端側の上部にかけて、開閉用のジッパー２６が設けられているため、バッグ本体１２の側面２２，２４に、ショルダーベルト３２の着脱用のアタッチメント２８，３０や、筒状のポケット９０，９４が設けられていても、バッグ本体１２の上部を大きく開けることができるため、荷物の出し入れがしやすい。
【００４３】
(4)また、本実施例によれば、バッグ本体１２の側面部に略筒状の収納部９０，９４を設け、バッグ本体１２の正面１８にマスク用のポケット２７を設け、前記ティッシュケース収納部５０とは別に、ジッパー８２で開閉する収納部８０を設けることとしたので、ティッシュ以外にも、水、マスク、アルコールスプレー、ゴミ入れなどを装備した利便性の高い多機能バッグ１０が提供できる。
【００４４】
(5)前記ティッシュケース収納部５０は、収納するテッシュケース７０，７０Ａ，７０Ｂの厚さや大きさに対応して保持するためのバンド８０Ａ，８０Ｂと、バンド８２Ａ，８２Ｂを内側に有することとした。このため、ティッシュケース収納部５０の大きさを変えずに、内側に収納するティッシュケースを開口部６２側にフィットさせ、確実にティッシュ７４，７４Ａ，７４Ｂを取り出すことができる。
【００４５】
(6)また、本実施例によれば、前記バッグ本体１２の背面２０に設けられた一対のヒップバック用ベルト３６Ａ，３６Ｂと、前記バッグ本体１２の背面２０に設けられており、前記一対のヒップバック用ベルト３６Ａ，３６Ｂをそれぞれ収納する一対の収納部４２，４４を設けることとした。このため、必要に応じてヒップバック用ベルト３６Ａ，３６Ｂを使用して、バッグ本体１２を使用者の胴体に固定することができる。
【実施例２】
【００４６】
次に、図７を参照しながら、本考案の実施例２について説明する。図７は、本実施例の多機能バッグ１００を正面側から見た外観斜視図である。なお、上述した実施例１と同一又は対応する構成要素には、同一の符号を用いることとする。図７に示すように、本実施例の多機能バッグ１００は、ティッシュケース収納部５０の隣に、略筒状で上端が開放したポケット１０２を有するとともに、前記ティッシュケース収納部５０の側面５６側には、薬を入れるための収納部１１０が設けられている。
【００４７】
前記ポケット１０２には、例えば、薬を飲むための水のペットボトルや、アルコールスプレーなどを収納してもよいが、使用済みのティッシュを入れるためのゴミ入れとしてもよい。このように、実施例２によれば、ティッシュ以外にも、薬、水、マスク、アルコールスプレー、ゴミ入れなどを装備することができるため、利便性が高い多機能バッグを提供できる。他の基本的な作用・効果は、上述した実施例１と同様である。
【００４８】
なお、本考案は、上述した実施例に限定されるものではなく、本考案の要旨を逸脱しない範囲内において種々変更を加え得ることができる。例えば、以下のものも含まれる。
(1)前記実施例で示したバッグ本体１２やティッシュケース収納部５０の形状や寸法は一例であり、同様の効果を奏する範囲内で適宜変更可能である。
(2)前記実施例で示したヒップバック用ベルト３６Ａ，３６Ｂも一例であり、異なる形状等であってもよいし、必要に応じて設けるようにしてもよい。
(3)前記実施例で示したティッシュケース収納部５０以外の収納部やポケットの形状，寸法，配置も一例であり、同様の効果を奏する範囲内で適宜設計変更可能である。
【００４９】
(4)前記実施例で示したティッシュケース収納部５０内の保持バンドも一例であり、同様の効果を奏する範囲内で適宜設計変更可能である。また、上述した実施例では、一つのティッシュケース収納部５０によって、様々な大きさや厚さのティッシュケースに対応することとしたが、これも一例であり、通常サイズのティッシュケースを収納する収納部と、ウェットティッシュなどの薄めで小さめのティッシュケースを収納する収納部を別個に設けてもよいし、通常サイズのティッシュケースを収納する収納部を有するバッグと、ウェットティッシュなどの薄めで小さめのティッシュケースを収納する収納部を有するバッグを別個に用意してもよい。
【００５０】
(5)前記実施例のティッシュケース収納部５０に、ベビー用おしりふきなどを装備してもよい。これにより、子供から目を離さずに、片手でおしりふきなどを取出し可能であるため、子供の安全にも配慮が可能である。
(6)前記実施例で示した筒状のポケット９０，９４に、ミルク用魔法瓶を収納することもでき、また、実施例２の薬用ポケット１１０を、スティック型ミルク入れとして使用してもよい。むろん、前記実施例で示した各収納部やポケット、ケースなどに収納するものは、多機能バッグを使用する者が必要とするものであれば、上述した物品等に限定されない。
【産業上の利用可能性】
【００５１】
本考案によれば、略直方体状のバッグ本体の正面側に設けられており、ティッシュケースをケースごと収納する略直方体状のティッシュケース収納部と、該ティッシュケース収納部の側面から上面にかけて設けられた開閉用のジッパーと、前記ティッシュケース収納部の正面に設けられた開口部と、該開口部を覆うように、前記ティッシュケース収納部の正面に設けられたカバーと、該カバーと前記ティッシュケース収納部の正面に、前記カバーの開閉用にそれぞれ設けられたマグネットと、前記バッグ本体の一対の側面の上部に着脱可能に設けられたショルダーベルトと、を備えることとした。このため、ティッシュケースをケースごと収納し、かつ、ティッシュが取り出しやすく、ティッシュケース収納部のティッシュの出し入れ口をカバーで覆うため、衛生的であり、最低限の見栄えの良さも確保することができるため、ティッシュケース収納用のバッグの用途に適用できる。
【００５２】
また、本考案によれば、前記バッグ本体の側面部に略筒状の収納部を設けたり、前記バッグ本体の正面に形成されたマスク用のポケット、前記ティッシュケース収納の側面に設けられた薬用ポケット、前記バッグ本体の正面に形成された他のポケットの少なくとも１つを有することとしたので、ティッシュ以外にも、薬、水、マスク、アルコールスプレー、ゴミ入れなどを装備できて利便性が高いため、多機能バッグの用途に好適である。
【符号の説明】
【００５３】
１０：多機能バック
１２：バック本体
１４：上面
１６：底面
１８：正面
２０：背面
２２，２４：側面
２６：ジッパー
２７：ポケット
２８，３０：アタッチメント
３２：ショルダーベルト
３４：アジャスター
３６Ａ，３６Ｂ：ヒップバック用ベルト
３８Ａ，３８Ｂ：ベルト
４０：アタッチメント
４０Ａ：雌型
４０Ｂ：雄型
４２，４４：収納部
５０：ティッシュケース収納部
５２：正面
５４：上面
５６，５８：側面
６０：ジッパー
６２：開口部
６４：カバー
６６，６８：マグネット
７０，７０Ａ，７０Ｂ：ティッシュケース
７２，７２Ａ，７２Ｂ：開口部
７４，７４Ａ，７４Ｂ：ティッシュ
７６，７８：マグネット
８０：収納部
８０Ａ，８０Ｂ，８２Ａ，８２Ｂ：保持ベルト
８２：ジッパー
９０，９４：ポケット
９２，９６：紐
９３，９８：アジャスター
１００：多機能バッグ
１０２：筒状ポケット
１１０：薬入れポケット
【図１】
0003228388.tif 000003
【図２】
0003228388.tif 000004
【図３】
0003228388.tif 000005
【図４】
0003228388.tif 000006
【図５】
0003228388.tif 000007
【図６】
0003228388.tif 000008
【図７】
0003228388.tif 000009